(57)【要約】【課題】低コストでスペースを取ることなく、盗難防止用のセキュリティー機能を付加できる記録テープカートリッジの提供を課題とする。【解決手段】記録テープＴが巻装されたリール２０を単一で収容するケース１２と、記録テープＴの端部に設けられ、ケース１２に形成された開口１８から引き出されるリーダー部材３０と、ケース１２に取り付けられ、ケース１２の背壁１２Ｄを構成するとともに、大バルクハウゼン効果を備えたアモルファス磁性ワイヤー１００が内包された樹脂製の背壁部材１１０と、を有する記録テープカートリッジ１０とする。【選択図】図５
2010211872.tif 000002
【特許請求の範囲】
【請求項１】
記録テープが巻装されたリールを単一で収容するケースと、
前記記録テープの端部に設けられ、前記ケースに形成された開口から引き出されるリーダー部材と、
前記ケースに取り付けられ、該ケースの背壁を構成するとともに、大バルクハウゼン効果を備えたアモルファス磁性ワイヤーが内包された樹脂製の背壁部材と、
を有することを特徴とする記録テープカートリッジ。
【請求項２】
前記背壁部材の周縁部が、前記ケースに形成された溝部に嵌合されていることを特徴とする請求項１に記載の記録テープカートリッジ。
【請求項３】
前記背壁部材の外面にラベルエリアが形成され、
前記背壁部材の内面に該背壁部材の射出成形時における樹脂材のゲート跡が形成されていることを特徴とする請求項１又は請求項２に記載の記録テープカートリッジ。
【発明の詳細な説明】
【技術分野】
【０００１】
本発明は、主にコンピューター等の記録再生媒体として使用される磁気テープ等の記録テープが巻装されたリールを単一で備えた記録テープカートリッジに関する。
【背景技術】
【０００２】
従来から、磁気テープ等の記録テープをリールに巻装し、そのリールをケース内に単一で収容してなる記録テープカートリッジが知られている。この記録テープカートリッジは、コンピューター等のデータ記録再生媒体（データバックアップ）として使用されることが多いため、盗難防止用のセキュリティー対策が施されることがある。
【０００３】
例えば、記録テープカートリッジのケース内に、セキュリティータグが収容された収納容器を設け、所定のセキュリティーエリアから記録テープカートリッジが搬出されると、それを外部に通知して、記録テープカートリッジの盗難を防止するシステムが、従来に提案されている（例えば、特許文献１参照）。
【先行技術文献】
【特許文献】
【０００４】
【特許文献１】特開２００８−９０９４２号公報
【発明の概要】
【発明が解決しようとする課題】
【０００５】
しかしながら、記録テープカートリッジのケース内に、セキュリティータグが収容された収納容器を設ける構成であると、ケース内におけるスペースは限られているため、その収納容器の形状や配設向き等に制約を受ける問題がある。また、その収納容器分、部品点数が増えるため、製造コストが増加する不具合もある。
【０００６】
そこで、本発明は、上記事情に鑑み、低コストでスペースを取ることなく、盗難防止用のセキュリティー機能を付加できる記録テープカートリッジを得ることを目的とする。
【課題を解決するための手段】
【０００７】
上記の目的を達成するために、本発明に係る請求項１に記載の記録テープカートリッジは、記録テープが巻装されたリールを単一で収容するケースと、前記記録テープの端部に設けられ、前記ケースに形成された開口から引き出されるリーダー部材と、前記ケースに取り付けられ、該ケースの背壁を構成するとともに、大バルクハウゼン効果を備えたアモルファス磁性ワイヤーが内包された樹脂製の背壁部材と、を有することを特徴としている。
【０００８】
請求項１に記載の発明によれば、ケースに取り付けられて、そのケースの背壁を構成する背壁部材に、大バルクハウゼン効果を備えたアモルファス磁性ワイヤーが内包されて、セキュリティー機能が付加されるため、そのアモルファス磁性ワイヤーを設けるためのスペースが別途取られることがない。また、ケースに取り付けられる背壁部材を使用するので、部品点数の増加がなく、安価で済む。
【０００９】
つまり、本発明によれば、低コストでスペースを取ることなく、盗難防止用のセキュリティー機能を付加することができる。なお、ここで言う「内包」とは、背壁部材に大バルクハウゼン効果を備えたアモルファス磁性ワイヤーが埋設されている以外に、例えば２枚の薄板状部材を貼り合わせて背壁部材が構成されている場合に、その２枚の薄板状部材の間に、大バルクハウゼン効果を備えたアモルファス磁性ワイヤーが狭持されている場合も含まれる。
【００１０】
また、請求項２に記載の記録テープカートリッジは、請求項１に記載の記録テープカートリッジにおいて、前記背壁部材の周縁部が、前記ケースに形成された溝部に嵌合されていることを特徴としている。
【００１１】
請求項２に記載の発明によれば、ケースに背壁部材が取り付けられる構成であっても、ケースの溝部と背壁部材の周縁部とでラビリンス構造を形成できるので、ケースにおける防塵性を確保することができる。
【００１２】
また、請求項３に記載の記録テープカートリッジは、請求項１又は請求項２に記載の記録テープカートリッジにおいて、前記背壁部材の外面にラベルエリアが形成され、前記背壁部材の内面に該背壁部材の射出成形時における樹脂材のゲート跡が形成されていることを特徴としている。
【００１３】
請求項３に記載の発明によれば、ラベルを貼り付ける背壁部材の外面に、その背壁部材を射出成形したときの樹脂材のゲート跡が形成されないので、ラベルの貼付安定性を向上させることができる。
【発明の効果】
【００１４】
以上のように、本発明によれば、低コストでスペースを取ることなく、盗難防止用のセキュリティー機能を付加できる記録テープカートリッジを提供することができる。
【図面の簡単な説明】
【００１５】
【図１】記録テープカートリッジの概略斜視図
【図２】記録テープカートリッジを上方から見た場合の概略分解斜視図
【図３】記録テープカートリッジを下方から見た場合の概略分解斜視図
【図４】下ケースに取り付けられる前の背壁部材を示す概略斜視図
【図５】下ケースに取り付けられた後の背壁部材を示す概略斜視図
【図６】下ケースの周壁に形成された溝部に嵌合している背壁部材を示す概略平面図
【図７】ケースの天板及び底板に形成された溝部に嵌合している背壁部材を示す概略側断面図
【図８】（Ａ）アモルファス磁性ワイヤーが内包された背壁部材の内面を示す概略正面図、（Ｂ）アモルファス磁性ワイヤーが内包された背壁部材の外面を示す概略背面図
【図９】アモルファス磁性ワイヤーが螺旋状に内包された円筒状部材を示す概略斜視図
【発明を実施するための形態】
【００１６】
以下、本発明の実施の形態について、図面に示す実施例を基に詳細に説明する。なお、説明の便宜上、図１において、記録テープカートリッジ１０のドライブ装置への装填方向を矢印Ａで示し、それを記録テープカートリッジ１０の前方向（前側）とする。そして、矢印Ａと直交する矢印Ｂ方向を右方向（右側）とする。また、矢印Ａ方向及び矢印Ｂ方向と直交する方向を矢印Ｃで示し、それを記録テープカートリッジ１０の上方向（上側）とする。まず最初に、記録テープカートリッジ１０の概略構成について説明する。
【００１７】
図１〜図３で示すように、記録テープカートリッジ１０は、略矩形箱状のケース１２を有している。このケース１２は、ポリカーボネート（ＰＣ）等の樹脂製の上ケース１４と下ケース１６とが、それぞれ天板１４Ａの周縁に立設された周壁１４Ｂと、底板１６Ａの周縁に立設された周壁１６Ｂとを互いに当接させた状態で、超音波溶着やビス止め等によって接合されて構成されている。
【００１８】
すなわち、例えば上ケース１４及び下ケース１６には、ビスボス１５がそれぞれ各コーナー部近傍に形成されており、下ケース１６の下面側から、そのビスボス１５に図示しないビスが螺合されることにより、ケース１２が組み立てられるようになっている。なお、上ケース１４及び下ケース１６の後側の周壁１４Ｂ、１６Ｂは、左右に一部（以下「左後壁１２Ｄａ」、「右後壁１２Ｄｂ」という）を残して切り欠かれており、その切り欠かれた部位に、後述する背壁部材１１０が取り付けられることで、ケース１２の後壁（背壁）１２Ｄが構成されるようになっている。
【００１９】
また、ケース１２の内部には、リール２０が１つだけ回転可能に収容されている。このリール２０は、軸心部を構成する有底円筒状のリールハブ２２と、その下端部に設けられる下フランジ２６とが一体に成形され、上フランジ２４がリールハブ２２の上端部に超音波溶着されて構成されている。そして、そのリールハブ２２の外周面に、情報記録再生媒体としての磁気テープ等の記録テープＴが巻回され、上フランジ２４及び下フランジ２６によって、その巻回された記録テープＴの幅方向の端部が保持されている。
【００２０】
また、リールハブ２２の底壁（底部）２８の下面（外面）には、リールギア４４が環状に形成されており、下ケース１６の中央部には、そのリールギア４４を外部に露出するためのギア開口４０が穿設されている。このギア開口４０から露出されるリールギア４４が、ドライブ装置の回転シャフト（図示省略）に形成された駆動ギア（図示省略）に噛合されて回転駆動されることにより、ケース１２内において、リール２０がケース１２に対して相対回転可能とされている。
【００２１】
また、底壁２８の下面におけるリールギア４４の径方向内側には、磁性材料でできた環状金属板であるリールプレート４６が、インサート成形により、同軸的かつ一体的に固着されており、ドライブ装置の回転シャフトに設けられた環状のマグネット（図示省略）の磁力によって吸着・保持されるようになっている。更に、リール２０は、上ケース１４及び下ケース１６の内面にそれぞれ部分的に突設されて、ギア開口４０と同軸的な円形の軌跡上にある内壁としての遊動規制壁４２によってガタつかないように保持されている。
【００２２】
また、ケース１２の右壁１２Ｂには、リール２０に巻装された記録テープＴを引き出すための開口１８が形成されており、この開口１８から引き出される記録テープＴの自由端部には、ドライブ装置の引出部材（図示省略）によって係止（係合）されつつ引き出し操作されるリーダーピン３０が固着されている。リーダーピン３０の記録テープＴの幅方向端部より突出した両端部には、環状溝３２が形成されており、この環状溝３２が引出部材のフック等に係止されるようになっている。
【００２３】
また、ケース１２の開口１８の内側、即ち上ケース１４の天板１４Ａ内面及び下ケース１６の底板１６Ａ内面には、ケース１２内においてリーダーピン３０を位置決めして保持する上下一対のピン保持部３６が設けられている。このピン保持部３６は、記録テープＴの引き出し側が開放された略半円形状をしており、直立状態のリーダーピン３０の両端部３４は、その開放側からピン保持部３６内に出入可能とされている。
【００２４】
また、ピン保持部３６の近傍には、板バネ３８が固定配置されるようになっており、この板バネ３８の二股状の先端部がリーダーピン３０の上下両端部３４にそれぞれ係合してリーダーピン３０をピン保持部３６に保持するようになっている。なお、リーダーピン３０がピン保持部３６に出入する際には、板バネ３８の先端部は適宜弾性変形してリーダーピン３０の移動を許容する構成である。
【００２５】
また、その開口１８は、ドア５０によって開閉される。このドア５０は、開口１８を閉塞可能な大きさの略矩形板状に形成され、ケース１２の右壁１２Ｂに沿って移動できるように、開口１８内側の天板１４Ａ及び底板１６Ａには、ドア５０の上下端部を摺動可能に嵌入させる溝部６４が形成されている。
【００２６】
また、ドア５０の後端部中央には、シャフト５２が突設されており、そのシャフト５２には、コイルバネ５８が挿嵌されている。そして、シャフト５２の後端には、そのコイルバネ５８を脱落防止とする拡開部５４が形成されている。また、下ケース１６には、そのシャフト５２に挿嵌されたコイルバネ５８の後端を係止する係止部６２を有する支持台６０が突設されている。
【００２７】
したがって、ドア５０は、シャフト５２が支持台６０上に摺動自在に支持されるとともに、コイルバネ５８の後端が係止部６２に係止されることにより、そのコイルバネ５８の付勢力によって、常時開口１８の閉塞方向へ付勢される構成である。なお、開口１８の開放時、シャフト５２を支持する支持台６６を支持台６０の後方側に更に突設しておくことが好ましい。
【００２８】
また、ドア５０の前端部には、開閉操作用の凸部５６が外方に向かって突設されている。この凸部５６が、記録テープカートリッジ１０のドライブ装置への装填に伴い、そのドライブ装置側の開閉部材（図示省略）と係合するようになっている。これにより、ドア５０がコイルバネ５８の付勢力に抗して開放される構成である。
【００２９】
また、図２、図３で示すように、ケース１２の左後コーナー部には、記録テープＴへの記録可・不可が設定されるライトプロテクト７０が左右方向にスライド可能に設けられており、ケース１２の左後壁１２Ｄａには、このライトプロテクト７０を人手で操作するための操作突起７２を突出させる開孔６８が形成されている。この開孔６８は、上ケース１４と下ケース１６とを接合したときに、上ケース１４の周壁１４Ｂに形成された切欠部６８Ａと、下ケース１６の周壁１６Ｂに形成された切欠部６８Ｂとによって形成される構成である。
【００３０】
また更に、下ケース１６の底板１６Ａには、ライトプロテクト７０の突部７４が露出される長孔６９が左右方向に長く穿設されており、記録テープカートリッジ１０がドライブ装置に装填されたときに、そのドライブ装置側でライトプロテクト７０の位置を検知して、記録テープＴへの記録可・不可が自動的に判断されるようになっている。なお、この突部７４は下ケース１６の底板１６Ａの下面から突出することはない。
【００３１】
また、図２で示すように、ケース１２の右後コーナー部には、記録容量、記録形式等の各種情報が記憶されたメモリーボードＭが所定の傾斜角度で配置されるようになっている。すなわち、図４でも示すように、下ケース１６の右後コーナー部には、メモリーボードＭを所定の傾斜角度に支持する傾斜部１０２Ａを備えた支持突起１０２と、支持突起１０２に支持されたメモリーボードＭが前方へずれないように、その下端部を保持する保持突起１０４と、メモリーボードＭの左右方向の位置を規制する位置規制リブ１０６、１０８（図２参照）が突設されている。
【００３２】
また、図２、図３で示すように、リールハブ２２の底壁２８の上面周縁には、係合ギア４８が所定の間隙を隔てて（等間隔に）複数（例えば１２０度間隔で３個）立設されており、その係合ギア４８の間で、リールギア４４上となる所定位置には、貫通孔２８Ａが複数（この場合は１２０度間隔で３個）穿設されている。そして、そのリールハブ２２の内部には、樹脂材で成形された円板状の制動部材８０が挿設される。
【００３３】
制動部材８０の下面８０Ａ周縁には、係合ギア４８と噛合可能な制動ギア８４が環状に形成されており、制動部材８０の上面には、上ケース１４の天板１４Ａ内面から下方へ向かって突設された平面視略十字状の回転規制リブ７６が内部に挿入される平面視略十字状の係合突起８６が、その回転規制リブ７６の高さよりも若干高くなるように立設されている。これにより、制動部材８０はケース１２（上ケース１４）に対して回転不能とされるとともに、リールハブ２２内において、上下方向に移動可能とされる。
【００３４】
また、上ケース１４と制動部材８０との間には圧縮コイルスプリング９８が配設される。すなわち、圧縮コイルスプリング９８の一端が上ケース１４の回転規制リブ７６の外側に突設された環状突起７８の内側（回転規制リブ７６と環状突起７８の間）に当接し、他端が制動部材８０の上面に設けられた環状溝８８内に当接した状態に配設される。この圧縮コイルスプリング９８の付勢力により、制動部材８０は、常時下方に向かって付勢される。
【００３５】
したがって、記録テープカートリッジ１０は、不使用時（ドライブ装置に装填されないとき）において、常時制動ギア８４が係合ギア４８と噛合する状態とされて、リール２０のケース１２に対する相対回転が阻止された回転ロック状態とされる。なお、このとき、リール２０は、この付勢力によって下ケース１６側に押し付けられ、リールギア４４をギア開口４０から露出させる。
【００３６】
また、リールハブ２２の内部で、かつ制動部材８０の下側（底壁２８と制動部材８０との間）には、樹脂材で成形された平面視略正三角形状の解除部材９０が挿設される。解除部材９０には、適宜位置に所定の形状とされた貫通孔９２が複数（図示のものは六角形状とされて３つ）穿設されており、解除部材９０の軽量化が図られている。そして、解除部材９０の下面で、かつ各頂点部分には、貫通孔２８Ａに挿通されて底壁２８の下面からリールギア４４上に所定高さ突出する脚部９４が突設されている。
【００３７】
また、解除部材９０の上面９０Ａ中央には平面状の支持凸部９６が形成されており、制動部材８０の下面８０Ａ中央に突設された略半球状の解除突起８２が当接するようになっている（図２、図３参照）。これにより、制動部材８０と解除部材９０との接触面積が低減され、使用時（リール２０の回転時）における摺動抵抗が軽減される構成である。
【００３８】
以上のような構成の記録テープカートリッジ１０において、次にその記録テープカートリッジ１０に付加されたセキュリティー機能について説明する。つまり、所定のセキュリティーエリアから記録テープカートリッジ１０が搬出されるのを防止するために、その記録テープカートリッジ１０のケース１２に設けられたセキュリティー用認識部材、即ちアモルファス磁性ワイヤー１００が内包された背壁部材１１０について説明する。
【００３９】
この背壁部材１１０は、図４、図５で詳細に示すように、ケース１２の左後壁１２Ｄａと右後壁１２Ｄｂとの間に取り付けられて、そのケース１２の後壁（背壁）１２Ｄを構成するものであり、例えば直径が３０μｍとされたアモルファス磁性ワイヤー１００が樹脂材に練り込まれた状態で、平板状（プレート状）に射出成形されて構成されている。したがって、アモルファス磁性ワイヤー１００は、図示のように、背壁部材１１０の内部に（背壁部材１１０から露出することなく）ランダムに配置（埋設）されている。
【００４０】
アモルファス磁性ワイヤー１００は、公知のワイヤーであり、低強度の振動磁界に反応して、磁化反転を繰り返す性質（大バルクハウゼン効果）を有している。したがって、その大バルクハウゼン効果によって発生した磁場の変化を検知することで、所定のセキュリティーエリアから記録テープカートリッジ１０が搬出されることを報知できるようになっている。
【００４１】
具体的に説明すると、所定のセキュリティーエリアの出入口に、例えば励磁コイルを備えたゲート（図示省略）が対向配置され、その励磁コイルから、所定のレベル以上の振幅を持つ振動磁界が印加されていると、そのゲートを記録テープカートリッジ１０が通過したときには、ケース１２に取り付けられた背壁部材１１０内のアモルファス磁性ワイヤー１００において磁化反転が周期的に起こり、その磁化反転に伴う電気的パルスが、対向配置されている励磁コイルで検知される（大バルクハウゼン効果が検知される）。
【００４２】
よって、この検知により、そのゲートから警報音等が発生するようなシステムとすれば、記録テープカートリッジ１０の盗難や不用意な持ち出しを心理的に防止することができる。なお、アモルファス磁性ワイヤー１００は、その配設長さが長ければ長いほど、感度が良好となることが知られている。また、図示のアモルファス磁性ワイヤー１００の配置は一例であり、この配置形状に限定されるものではない。
【００４３】
また、背壁部材１１０を構成する樹脂材料としては、ポリカーボネート（ＰＣ）、ポリアセタール（ＰＯＭ）、ポリエチレン（ＰＥ）、ポリスチレン（ＰＳ）、ポリアミド（ＰＡ）等の熱可塑性樹脂材料が好ましく、強度及び成形性に優れたポリカーボネート（ＰＣ）を使用することがより好ましい。
【００４４】
また、図４、図５、図７で示すように、上ケース１４の天板１４Ａ内面及び下ケース１６の底板１６Ａ内面には、背壁部材１１０の上下の辺縁部（周縁部）１１０Ａ、１１０Ｂがそれぞれ嵌合される溝部１２２、１２４が形成されている。そして、図４〜図６で示すように、左後壁１２Ｄａの右方を向く右辺縁部と、右後壁１２Ｄｂの左方を向く左辺縁部には、背壁部材１１０の左右の辺縁部（周縁部）１１０Ｃ、１１０Ｄに突設された突出部１１６、１１８がそれぞれ嵌合される溝部１２６、１２８が形成されている。
【００４５】
より詳細に説明すると、背壁部材１１０の左右の辺縁部１１０Ｃ、１１０Ｄの板厚方向略中央部には、平面視略三角形状に左右方向へそれぞれ突出する突出部１１６、１１８が形成されており、左後壁１２Ｄａの右辺縁部の板厚方向略中央部と、右後壁１２Ｄｂの左辺縁部の板厚方向略中央部には、各突出部１１６、１１８がそれぞれ嵌合可能な平面視略三角形状の溝部１２６、１２８が形成されている。
【００４６】
背壁部材１１０は、これら各溝部１２２、１２４、１２６、１２８に、その周縁部、即ち各辺縁部１１０Ａ、１１０Ｂ、１１０Ｃ、１１０Ｄ（突出部１１６、１１８）がそれぞれ嵌合することにより、ケース１２に別体として取り付けられる構成であっても、ケース１２内の防塵性を確保できる構成である。また、この背壁部材１１０は、ケース１２の内方側を向く内面１１４に、射出成形時の樹脂材の注入口であるゲート跡Ｇが形成されている。そして、この背壁部材１１０の外面１１２の一部がラベルエリア１２０とされている。
【００４７】
以上のような構成の記録テープカートリッジ１０において、次にその作用について説明する。不使用時（保管時や運搬時等）において、記録テープカートリッジ１０の開口１８は、ドア５０によって閉塞されている。そして、圧縮コイルスプリング９８の付勢力によって、制動部材８０が回転ロック位置に位置して制動ギア８４を係合ギア４８に噛合させている。このため、リール２０は、ケース１２に対する回転が阻止されている。
【００４８】
一方、記録テープＴを使用する際には、前壁１２Ａを先頭にして記録テープカートリッジ１０を矢印Ａ方向に沿って、ドライブ装置内へ装填する。すると、まず、そのドライブ装置側に設けられた開閉部材が、ドア５０の凸部５６に係合する。そして、この状態で、記録テープカートリッジ１０が更に矢印Ａ方向へ移動すると、開閉部材が凸部５６をコイルバネ５８の付勢力に抗しつつ相対的に後方へ移動させる。すると、その凸部５６が突設されているドア５０は、右壁１２Ｂに沿って溝部６４内を後側へ摺動し、開口１８を開放する。
【００４９】
こうして、記録テープカートリッジ１０がドライブ装置に所定深さ装填され、開口１８が完全に開放されると、記録テープカートリッジ１０は所定高さ下降し、ドライブ装置の位置決め部材（図示省略）が、下ケース１６に形成された位置決め用の穴部（図示省略）に挿入される。これにより、記録テープカートリッジ１０がドライブ装置内における所定位置に正確に位置決めされ、ドア５０のそれ以上の摺動（後方への移動）が規制される。
【００５０】
また、この記録テープカートリッジ１０の下降動作によって、回転シャフトが相対的にギア開口４０から進入し、駆動ギアをリールギア４４に噛合させる。すると、その駆動ギアがリールギア４４と噛合する動作に伴って、リールギア４４上に突出している脚部９４が、圧縮コイルスプリング９８の付勢力に抗して押し上げられ、解除部材９０を介して制動部材８０が上方へ押し上げられて、制動ギア８４と係合ギア４８との噛合が解除される。
【００５１】
そして、駆動ギアとリールギア４４とが完全に噛合した状態で、リールプレート４６が、駆動ギアの径方向内側に設けられた環状のマグネットの磁力によって吸着・保持されることにより、リール２０は、駆動ギアに対するリールギア４４の噛合が維持されつつ、ケース１２内で、そのケース１２に対して相対回転可能となるロック解除状態とされる。
【００５２】
一方、開放された開口１８からは、ドライブ装置側に設けられた引出部材がケース１２内に進入し、ピン保持部３６に位置決め保持されたリーダーピン３０を把持して引き出す。なお、このとき、記録テープカートリッジ１０はドライブ装置内において正確に位置決めされているので、引出部材は確実にリーダーピン３０の環状溝３２にそのフックを係止させることができる。また、リール２０は、その回転ロック状態が解除されているので、リーダーピン３０の引出動作に伴って回転できる。
【００５３】
こうして、開口１８から抜き出されたリーダーピン３０は、図示しない巻取リールに収容される。そして、その巻取リールとリール２０とを同期して回転駆動することにより、記録テープＴは、巻取リールに巻き取られつつ順次ケース１２から引き出され、所定のテープ経路に沿って配設された記録再生ヘッド（図示省略）によって情報の記録や再生が行われる。
【００５４】
情報の記録や再生が終了した記録テープカートリッジ１０をドライブ装置から排出する際には、まず、回転シャフトが逆回転することにより、記録テープＴがリール２０に巻き戻される。そして、記録テープＴがリール２０に最後まで巻き戻されて、リーダーピン３０がピン保持部３６に保持されると、記録テープカートリッジ１０は所定高さ上昇し、位置決め部材が位置決め用の穴部から抜き出されるとともに、回転シャフトがギア開口４０から抜き出され、リールギア４４に対する駆動ギアの噛合が解除される。
【００５５】
すると、圧縮コイルスプリング９８の付勢力により、制動部材８０及び解除部材９０が下方に向かって押圧され、脚部９４が貫通孔２８Ａに挿通されて底壁２８の下面からリールギア４４上に所定高さ突出するとともに、制動ギア８４が係合ギア４８に噛合する。これにより、リール２０は、再度ケース１２内での相対回転が阻止された回転ロック状態となり、その後、記録テープカートリッジ１０は、図示しないイジェクト機構によって矢印Ａ方向とは反対方向に移動される。
【００５６】
すると、この移動に伴って、ドア５０はコイルバネ５８の付勢力によって開口１８の閉塞方向へ摺動し、開口１８を完全に閉塞する（初期状態に復帰する）。こうして、リール２０のケース１２に対する相対回転がロックされ、開口１８が閉塞された記録テープカートリッジ１０は、ドライブ装置内から完全に排出される。
【００５７】
ここで、そのドライブ装置内から排出された記録テープカートリッジ１０を所定のセキュリティーエリアから搬出した場合には、警報音が発生し、その搬出が防止されるようになっている。すなわち、記録テープカートリッジ１０内、具体的にはケース１２の後壁１２Ｄには、アモルファス磁性ワイヤー１００を内包した背壁部材１１０が取り付けられている（ケース１２の後壁１２Ｄが背壁部材１１０によって構成されている）。
【００５８】
したがって、例えばセキュリティーエリアの出入口に設けられたゲートを通過すると、そのゲートに設けられた励磁コイルから印加された振動磁界により、アモルファス磁性ワイヤー１００に大バルクハウゼン効果が起き、その大バルクハウゼン効果が、その励磁コイルによって検知される。よって、その検知により、ゲートから警報音が発生し、記録テープカートリッジ１０の盗難や不用意な持ち出しが心理的に防止される。
【００５９】
なお、この背壁部材１１０は、ケース１２の後壁１２Ｄを構成するために取り付けられる部材であるため、ケース１２内にアモルファス磁性ワイヤー１００を設けるための部材を別途必要としない。したがって、そのケース１２内において、アモルファス磁性ワイヤー１００を設けるためのスペースが取られることがなく、部品点数も増加しない。よって、アモルファス磁性ワイヤー１００が設けられる構成であっても、その製造コストは安価で済む。
【００６０】
また、背壁部材１１０の上下辺縁部１１０Ａ、１１０Ｂが、ケース１２の天板１４Ａ内面及び底板１６Ａ内面に形成された溝部１２２、１２４にそれぞれ嵌合され、背壁部材１１０の左右辺縁部１１０Ｃ、１１０Ｄに形成された突出部１１６、１１８が、ケース１２の左後壁１２Ｄａ及び右後壁１２Ｄｂに形成された溝部１２６、１２８にそれぞれ嵌合されて、それら各嵌合部位にラビリンス構造が形成されている。したがって、ケース１２に背壁部材１１０が取り付けられる構成であっても、ケース１２内における防塵性を確保することができる。
【００６１】
また、背壁部材１１０の内面１１４に射出成形時の樹脂材のゲート跡Ｇが形成され、背壁部材１１０の外面１１２は平坦面とされて、その一部（辺縁部１１０Ａ、１１０Ｂ、１１０Ｃ、１１０Ｄを除く部位）にラベルエリア１２０が形成される構成となっているので（ラベルを貼り付ける背壁部材１１０の外面１１２に樹脂材のゲート跡Ｇが形成されていないので）、ラベルの貼付安定性を向上させることができる。つまり、ラベルの貼り付けがし易くなるとともに、貼り付けたラベルが剥がれ難くなるようにできる。
【００６２】
また、ケース１２の後壁１２Ｄが、ケース１２とは別体の背壁部材１１０で構成されるようになっているため、天板１４Ａや底板１６Ａと連設された周壁１４Ｂ、１６Ｂによってケース１２の後壁１２Ｄが構成される場合に比べて、そのケース１２の後壁１２Ｄ（背壁部材１１０）に反りなどは発生しない。したがって、背壁部材１１０の薄肉化が可能となり、より一層の低コスト化が図れるとともに、例えば２次元バーコード等の印刷適性を向上させることができる。
【００６３】
なお、アモルファス磁性ワイヤー１００は、背壁部材１１０に練り込む（内包する）構成に限定されるものではない。すなわち、例えば背壁部材１１０の内面１１４に、糊等の接着剤によって貼り付ける構成としてもよい。また、例えば２枚の薄板状部材（図示省略）を貼り合わせて背壁部材１１０を構成してもよく、この場合には、その２枚の薄板状部材の間にアモルファス磁性ワイヤー１００が狭持されるようにすればよい。本実施形態では、このような構成の場合も、アモルファス磁性ワイヤー１００が背壁部材１１０に「内包」されているものとしている。
【００６４】
何れにしても、アモルファス磁性ワイヤー１００は、ケース１２の後壁１２Ｄを構成する背壁部材１１０に内包されて設けられているため、ケース１２に対して位置決めされた状態に配置することができる。したがって、アモルファス磁性ワイヤー１００の指向性を低くすることができる。
【００６５】
また、アモルファス磁性ワイヤー１００が内包された背壁部材１１０の他に、図９で示すようなアモルファス磁性ワイヤー１００が内包された円筒状部材１３０を、ケース１２のビスボス１５等に挿嵌する構成としてもよい。この場合、円筒状部材１３０のアモルファス磁性ワイヤー１００を、ケース１２に対して位置決めされた状態に配置できるとともに、背壁部材１１０に内包されたアモルファス磁性ワイヤー１００の延在方向とは異なる方向に延在させることができるため、その指向性を更に低くすることができる。
【００６６】
なお、円筒状部材１３０に内包するアモルファス磁性ワイヤー１００は、図９で示すように、螺旋状（コイル状）に構成（配置）することが望ましい。これによれば、アモルファス磁性ワイヤー１００を３次元方向（互いに直交する３方向）に延在させることができるため、その指向性をより一層低くすることができる。
【００６７】
つまり、このような構成にすれば、記録テープカートリッジ１０を、どのような姿勢で持っていても、ゲートを通過したときには、確実に大バルクハウゼン効果が検知され、警報音が発生するようにできる。このように、本実施形態によれば、セキュリティーエリアからの盗難防止用として高性能なセキュリティー機能を、低コストでスペースを取ることなく、記録テープカートリッジ１０に付加することができる。
【００６８】
以上、本実施形態に係る記録テープカートリッジ１０について説明したが、本実施形態に係る記録テープカートリッジ１０は、図示の実施例に限定されるものではなく、本発明の要旨を逸脱しない範囲内において、適宜設計変更可能なものである。また、リール２０に巻回される記録テープＴは、情報の記録及び記録した情報の再生が可能な長尺テープ状の情報記録再生媒体として把握されるものであれば足り、リール２０を収容する記録テープカートリッジ１０が、如何なる記録再生方式の記録テープＴにも適用可能であることは言うまでもない。
【符号の説明】
【００６９】
１０  記録テープカートリッジ
１２  ケース
１２Ｄ  後壁（背壁）
１８  開口
２０  リール
３０  リーダーピン（リーダー部材）
５０  ドア
８０  制動部材
９０  解除部材
１００  アモルファス磁性ワイヤー
１１０  背壁部材
１１０Ａ〜１１０Ｄ  辺縁部（周縁部）
１１２  外面
１１４  内面
１１６  突出部
１１８  突出部
１２０  ラベルエリア
１２２  溝部
１２４  溝部
１２６  溝部
１２８  溝部
Ｇ  ゲート跡
Ｔ  記録テープ
【図１】
2010211872.tif 000003
【図２】
2010211872.tif 000004
【図３】
2010211872.tif 000005
【図４】
2010211872.tif 000006
【図５】
2010211872.tif 000007
【図６】
2010211872.tif 000008
【図７】
2010211872.tif 000009
【図８】
2010211872.tif 000010
【図９】
2010211872.tif 000011